【事件の表示】
　特願２００５−１２６９２６「トナー貯留装置及び画像形成装置」拒絶査定不服審判事件〔平成１７年　９月１５日出願公開、特開２００５−２５０５０８〕について、次のとおり審決する。
【結　論】
　本件審判の請求は、成り立たない。
【理　由】
第１　手続の経緯
　本願は、平成８年９月１９日に出願した特願平８−２４８２３７号の一部を平成１７年４月２５日に新たな特許出願としたものであって、平成１８年１２月２０日付けで通知した拒絶理由に対して、平成１９年２月２６日付けで手続補正書が提出された後、同年５月２８日付けで拒絶査定がなされたものであり、これに対し、同年７月５日付けで審判請求がなされるとともに、同年８月３日付けで手続補正書が提出され、その後、平成２０年１１月１０日付けで、当審の審尋に対する回答書が提出されたものである。
　
　
第２　平成１９年８月３日付けの手続補正についての補正の却下の決定
　
［補正却下の決定の結論］
　平成１９年８月３日付けの手続補正（以下、「本件補正」という。）を却下する。
　
［理由］
１．補正後の本願発明
　本件補正には、特許請求の範囲の請求項１を次のように補正しようとする事項が含まれている。
　
（補正前）
　「【請求項１】像担持体上に形成された静電潜像を現像手段のトナーで現像して可視像化する画像形成装置に用いるトナー貯留装置において、
　前記現像手段とは独立に別体で構成されており、前記現像手段に供給されるトナーを貯留するトナー貯留手段と、該トナー貯留手段に連結され、トナーを拡散させた状態で流動させる空気供給手段と、画像形成時に残留して回収される回収トナーを収納する回収トナー収納容器を有する回収トナー収納手段とを備え、
　前記現像手段に供給されるトナーは、前記空気供給手段によって、空気と混合気状態にされてトナー供給部材を介して前記現像手段に移送され、
　前記回収トナーは、画像形成時に前記画像形成装置に備えられたクリーニング手段によって回収され、該クリーニング手段によって回収されたトナーは前記画像形成装置の回収トナー移送手段によって空気との混合気状態にされて回収トナー移送部材を介して前記回収トナー収納手段に移送され、
　前記回収トナー収納手段の前記回収トナー収納容器の上部には、前記回収トナー移送部材が接続する回収トナー捕集手段が取り付けられており、該回収トナー捕集手段でトナーと空気を分離し、トナーを捕集することを特徴とするトナー貯留装置。」
　
（補正後）
　「【請求項１】像担持体上に形成された静電潜像を現像手段のトナーで現像して可視像化する画像形成装置に用いるトナー貯留装置において、
　前記現像手段とは独立に別体で構成されており、前記現像手段に供給されるトナーを貯留するトナー貯留手段と、該トナー貯留手段に連結され、トナーを拡散させた状態で流動させる空気供給手段と、画像形成時に残留して回収される回収トナーを収納する回収トナー収納容器を有する回収トナー収納手段とを備え、
　前記現像手段に供給されるトナーは、前記空気供給手段によって、空気と混合気状態にされてトナー供給部材を介して前記現像手段に移送され、
　前記回収トナーは、画像形成時に前記画像形成装置に備えられたクリーニング手段によって回収され、該クリーニング手段によって回収されたトナーは前記画像形成装置の回収トナー移送手段によって空気との混合気状態にされて回収トナー移送部材を介して前記回収トナー収納手段に移送され、
　前記回収トナー収納手段の前記回収トナー収納容器の上部には、前記回収トナー移送部材が接続する回収トナー捕集手段が取り付けられており、該回収トナー捕集手段でトナーと空気を分離し、トナーを捕集する
構成であり
　
前記空気供給手段はスクリューポンプとエアーポンプからなり、前記スクリューポンプの作動を開始あるいは停止した場合、作動開始に先立ち前記エアーポンプを作動させ、また作動停止後、所定の時間前記エアーポンプの作動を継続させる
　
　この補正事項は、請求項１において、補正前の「トナーを拡散させた状態で流動させる空気供給手段」について、「前記空気供給手段はスクリューポンプとエアーポンプからなり、前記スクリューポンプの作動を開始あるいは停止した場合、作動開始に先立ち前記エアーポンプを作動させ、また作動停止後、所定の時間前記エアーポンプの作動を継続させる」との限定を付加したものである。
　したがって、本件補正は、平成１４年法律第２４号改正附則第２条第１項によりなお従前の例によるとされる同法による改正前の特許法第１７条の２第４項第２号の特許請求の範囲の減縮を目的としたものに該当する。
　
　そこで、補正後の前記請求項１に係る発明（以下、「本願補正発明」という。）が特許出願の際独立して特許を受けることができるものであるかについて以下に検討する。
　
２．引用例の記載事項
（１）刊行物１
　原査定の拒絶の理由に引用された、本願出願前（すなわち原出願の出願日前）に頒布された特開平５−２０４２４４号公報には、図面とともに、以下の事項が記載されている。なお、下線は当審で付した。
　
（１ａ）「【０００１】【産業上の利用分野】本発明は、
潜像担持体に形成された静電潜像をトナー像として可視像化する現像装置を備えた画像形成装置
　　
（１ｂ）「【００２９】ベルト状の感光体１１は矢印方向に走行駆動され、その表面は、帯電チャージャー１２により予め一様に帯電させられていて、この後、上述の結像投影が行われる。このようにして、同表面には静電潜像が形成される。
【００３０】この静電潜像は現像装置１３によってトナー像として可視像化され、そのトナー像は、給紙部１４からレジストローラ対１５を経て送られる転写紙に、転写チャージャー１０によるコロナ放電によって転写される。かかるトナー像の転写後、転写紙は定着装置１６を通って、複写機本体１００の上部のトレイ１７に排出される。
【００３１】一方、
感光体１１の表面はクリーニング装置２０によってクリーニングされて、その表面の残留トナーなどが除去される
　
（１ｃ）「【００３６】現像が継続されるのに伴って、現像剤容器１８内のトナーは徐々に消費され、現像剤Ｄ中のトナーの濃度が漸次低下する。これを放置すれば現像されたトナー像の画質が劣化する。これに対処すべく、現像装置１３の現像剤容器１８への補給トナーＴ1を収容した第１トナー容器３６が設けられ、この例では
第１トナー容器３６が現像装置１３の現像剤容器１８に一体に連結され
【００３７】前述のトナー濃度センサ１１９によって、現像剤Ｄのトナー濃度低下が検出されたとき、その信号により、図５及び図６に示したトナー補給用の駆動モータＭ1（以下、第１駆動モータと記す）が所定時間作動して
トナー補給ローラ３２ａが回転し、第１トナー容器３６内のトナーＴ
1
が現像剤容器１８に補給され
【００３８】図３及び図５に示すように、第１トナー容器３６にはトナーＴ1を撹拌する第１撹拌部材３２が回転自在に支持され、トナー補給ローラ３２ａが上述のように回転したとき、これに同期して第１撹拌部材３２も回転し、第１トナー容器３６内のトナーＴ1を撹拌する。」
　
（１ｄ）「【００４０】そこで図１、図２、図４及び図５に示すように、第１トナー容器３６への補給トナーＴ2を収容した
第２トナー容器９０が設けられていて、このトナー容器９０と第１トナー容器３６は、トナー搬送導管５１と、その内部に全長に亘って設けられたトナー送り部材５２とから成るトナー搬送手段５０によって連結され
【００４１】
トナー送り部材５２としては、図示した実施例のようにコイルを用いることができるほか、螺旋状の羽根を備えたスクリュー部材や、一般にオーガと称せられている各種のトナー送り部材を適宜採用することができる
【００４２】また第２トナー容器９０にも、その内部のトナーＴ2を撹拌する第２撹拌部材９１が付設され、該撹拌部材９１は、その各端部が図５に示すように第２トナー容器９０の各端壁に回転自在に支持され、その一方の端部が第２トナー容器９０の端壁に支持された駆動モータ（以下、第２駆動モータと記す）Ｍ2に連結され、該モータＭ2によって回転駆動されるようになっている。
【００４３】また第２撹拌部材９１の他方の端部には、タイミングプーリ９４が固設され、該プーリ９４は、第２トナー容器９０の端壁に回転自在に支持され、かつ上述の如くコイルより成るトナー送り部材５２の端部に固定された他のタイミングプーリ９５に、タイミングベルト９６を介して駆動連結されている。
【００４４】このような構成により、第２駆動モータＭ2が作動を開始すると、第２撹拌部材９１が回転してトナーＴ2を撹拌すると共に、該撹拌部材９１の回転が、タイミングプーリ９４、タイミングベルト９６及び他のタイミングプーリ９５を介して、コイルより成るトナー送り部材５２に伝えられ、該送り部材５２が回転する。これにより、第２トナー容器９０内のトナーＴ2が、トナー搬送導管５１に案内されつつ搬送され、後述する案内管８５を通して第１トナー容器３６に補給される。
【００４５】
第２トナー容器９０は、図１、図２及び図４に示すように複写機本体１００とは別体のトナー補給ケース５３に内設され
【００４６】トナー補給ケース５３を複写機本体１００とは独立して自由に動かすことができるように、トナー搬送導管５１は軟質の樹脂やゴムなどの可撓性チューブにより構成されている。」
　
（１ｅ）「【００５０】なお、図示した例では
トナー補給ケース５３内に
ボトルなどから成る廃トナー回収容器９２（図２）が配置され
クリーニング装置２０で回収した廃トナーを、可撓性の廃トナー導管９３と、これに内設された、例えば回転駆動されるコイルより成る廃トナー送り部材（図示せず）とによって、廃トナー回収容器９２に搬送し、廃トナーをここに収容しておくことができるように構成
　
（１ｆ）また、上記で摘記した事項や図面から、上記の第２トナー容器９０や廃トナー回収容器９２等を包含する概念的な手段として、
補給トナーを収容して現像装置に搬送し、クリーニング装置で回収し搬送された廃トナーを収容する手段
　
　以上のことから、刊行物１には次の発明（以下、「刊行物１記載の発明」という。）が記載されているものと認められる。
　
　「潜像担持体に形成された静電潜像をトナー像として可視像化する現像装置を備えた画像形成装置に用いる、補給トナーを収容して現像装置に搬送し、クリーニング装置で回収し搬送された廃トナーを収容する手段において、
　画像形成装置本体１００とは別体のトナー補給ケース５３に、現像装置１３に供給される補給トナーを収容する第２トナー容器９０と、廃トナー回収容器９２が内設されており、
　第２トナー容器９０と、現像装置１３の現像剤容器１８に一体に連結された第１トナー容器３６とは、トナー搬送導管５１と、その内部に全長に亘って設けられたコイル、スクリュー部材、オーガなどのトナー送り部材５２とから成るトナー搬送手段５０によって連結され、
　第１トナー容器３６内のトナー補給ローラ３２ａが回転して、第１トナー容器３６内のトナーが現像装置１３の現像剤容器１８に補給され、
　感光体１１（潜像担持体）の表面の残留トナーなどがクリーニング装置２０によって除去されて回収された廃トナーが、可撓性の廃トナー導管９３と、これに内設された、例えば回転駆動されるコイルより成る廃トナー送り部材とによって、廃トナー回収容器９２に搬送されて、収容される、
　補給トナーを収容して現像装置に搬送し、クリーニング装置で回収し搬送された廃トナーを収容する手段。」
　
（２）刊行物２
　同じく、原査定の拒絶の理由に引用された、本願出願前（すなわち原出願の出願日前）に頒布された特開平８−２１１７１４号公報（公開日：平成８年８月２０日）には、図面とともに、以下の事項が記載されている。
　
（２ａ）「【０００１】【産業上の利用分野】本発明は、電子写真方式の画像形成装置、特に、２成分現像剤を用いたプリンタ、ファクシミリ、あるいは複写機等の画像形成装置、及び、この画像形成装置に使用される現像装置に関する。」
　
（２ｂ）「【００２５】回収管１２１などの現像剤移送循環手段により剤収納容器２２３内に導かれた現像剤は、上述の撹拌スクリュー２２１及びトナー補給ユニット２３０により、現像剤帯電量及び現像剤濃度の適正化が行なわれる。そして、この適正化された現像剤は、現像剤移送・循環手段としての粉体ポンプユニット２００に送られる。
【００２６】本実施例における粉体ポンプユニット２００には、
スクリューポンプ（通称モーノポンプ
【００２７】また、
この粉体ポンプユニット２００には、駆動モータ２２２の上部に取付けられたファン２０７が、駆動モータ２２２の駆動により回転することによって、そのファンケースの一部に設けられた空気吐出口２０８から、上部空気供給口２０４及び下部空気供給口２０５に向けてエアーが供給される
このエアーの供給により、現像剤がより流動化され、スクリューポンプでの現像剤移送がより確実なものとなる
　
（２ｃ）「【００３５】一方、本実施例で用いるスクリューポンプ（モーノポンプ）は、回転容積式構造により粉体を移送するポンプであり、また、圧送式の粉体移送ポンプであるので、このポンプによれば、極僅かな空気による高い固気比で粉体を移送でき、粉体（現像剤）は、配管内に充満した状態で連続的に流動（移送）される。従って、本実施例では、連続移送される現像剤に対して、高い定量性の維持と、高精度な流量コントロールができ、且つ、粉体移送に使用されるエアーも、粉体の流動化と移送ライン全長に均一の流動状態を保持するための極少量の空気量でよい。更に、本実施例における粉体移送は、低速・高濃度移送であるので、移送時の粉体の破砕も無く、また、粉体移送用の配管も小径のもので済み、且つ、この粉体移送管の摩耗によるトラブルや騒音も少ない。更に、この構成によれば、その構造が簡易であり、経済性、信頼性、メンテナンス性に優れるなどの利点がある。
【００３６】なお、本実施例では、駆動モータ２２２の駆動軸に取付けられたファン２０７によってモーノポンプにエアーを供給しているが、この
モーノポンプへのエアーの供給は、独立して配設した別体のエアーポンプ等によって行ってもよい
　
（３）刊行物３
　当審において新たに発見された、本願出願前（すなわち原出願の出願日前）に頒布された特開平８−１２３１９９号公報（公開日：平成８年５月１７日）には、図面とともに、以下の事項が記載されている。
　
（３ａ）「【特許請求の範囲】
【請求項１】潜像坦持体上に形成された静電潜像を顕像化するための現像装置であって、トナーとキャリアを混合した現像剤を該潜像坦持体に付与する現像手段と、現像剤を適正化するための該現像手段と異なる箇所に別体で配置される現像剤適正化手段と、該現像手段及び現像剤適正化手段に現像剤を移送する現像剤移送・循環手段とを具備した現像装置において、上記現像剤移送・循環手段は、現像剤と空気との混合気を供給するためのスクリューポンプと、該スクリューポンプに空気を供給する空気供給器と、該スクリューポンプと空気供給器の動作を制御する制御手段とを具備し、該制御手段により、上記現像装置の運転開始時には、該空気供給器のみを一定時間作動させた後、該スクリューポンプと該空気供給器とを同時に作動させるように、該スクリューポンプ及び空気供給器を制御することを特徴とする現像装置。
【請求項２】潜像坦持体上に形成された静電潜像を顕像化するための現像装置であって、トナーとキャリアを混合した現像剤を該潜像坦持体に付与する現像手段と、現像剤を適正化するための該現像手段と異なる箇所に別体で配置される現像剤適正化手段と、該現像手段及び現像剤適正化手段に現像剤を移送する現像剤移送・循環手段とを具備した現像装置において、上記現像剤移送・循環手段は、現像剤と空気との混合気を供給するためのスクリューポンプと、該スクリューポンプに空気を供給する空気供給器と、該スクリューポンプと空気供給器の動作を制御する制御手段とを具備し、該制御手段により、上記現像装置の運転停止時には、先に該スクリューポンプのみを停止させ、該空気供給器のみを一定時間作動させた後にこの空気供給器を停止させるように、該スクリューポンプ及び空気供給器を制御することを特徴とする現像装置。
【請求項３】潜像坦持体上に形成された静電潜像を顕像化するための現像装置であって、現像剤を該潜像坦持体に付与する現像手段と、該現像手段と異なる箇所に別体に設けられたトナー貯留手段と、該トナー貯留手段に供給されたトナーを撹拌・搬送するトナー供給手段と、該トナー供給手段より該現像手段にトナーを移送するトナー移送手段とを具備した現像装置において、上記トナー移送手段は、現像剤と空気との混合気を供給するためのスクリューポンプと、該スクリューポンプに空気を供給する空気供給器と、該スクリューポンプと空気供給器の動作を制御する制御手段とを具備し、該制御手段により、上記現像装置の運転開始時には、該空気供給器のみを一定時間作動させた後、該スクリューポンプと該空気供給器とを同時に作動させるように、該スクリューポンプ及び空気供給器を制御することを特徴とする現像装置。
【請求項４】潜像坦持体上に形成された静電潜像を顕像化するための現像装置であって、現像剤を該潜像坦持体に付与する現像手段と、該現像手段と異なる箇所に別体に設けられたトナー貯留手段と、該トナー貯留手段に供給されたトナーを撹拌・搬送するトナー供給手段と、該トナー供給手段より該現像手段にトナーを移送するトナー移送手段とを具備した現像装置において、上記トナー移送手段は、現像剤と空気との混合気を供給するためのスクリューポンプと、該スクリューポンプに空気を供給する空気供給器と、該スクリューポンプと空気供給器の動作を制御する制御手段とを具備し、該制御手段により、上記現像装置の運転停止時には、先に該スクリューポンプのみを停止させ、該空気供給器のみを一定時間作動させた後にこの空気供給器を停止させるように、該スクリューポンプ及び空気供給器を制御することを特徴とする現像装置。」
　
（３ｂ）「【０００１】【産業上の利用分野】本発明は、電子写真方式の画像形成装置、特に、２成分現像剤を用いたプリンタ、ファクシミリ、あるいは複写機等に使用される現像装置に関する。」
　
（３ｃ）「【００３２】本実施例における粉体ポンプユニット２００は、通称モーノポンプ（従来公知）と呼ばれているスクリューポンプを以って構成され、現像剤を下向きに送るように縦型に配置されている。この粉体ポンプユニット２００は、前述の駆動モータ２２２と撹拌スクリュー２２１を介して連結されたローター２０１と、このローター２０１を包囲するように配設されたゴム材料等の弾性体からなるステーター２０２と、このステーター２０２を保持する上ポンプホルダー２０３ｕ、及び、下ポンプホルダー２０３ｄ等を具備している。」
　
（３ｄ）「【００３６】次に、本実施例の現像装置の運転開始時と停止時における、粉体ポンプユニット２００の駆動モータ２２２とエアーポンプ２０７との動作の制御方法について、図４により説明する。
【００３７】駆動モータ２２２及びエアーポンプ２０７は、それらの駆動を制御する制御手段の制御回路（図示せず）により、図３に示すそれぞれの電源コード２２６，２０９を介して、電源供給（オン／オフ）が制御される。
【００３８】すなわち、本実施例における現像装置の駆動モータ２２２及びエアーポンプ２０７は、図４（ａ）に示すように、現像装置の運転開始時Ａでは、先ず、エアーポンプ２０７のみの電源をオンし、その後、数秒が経た時点Ｂで駆動モータ２２２の電源をオンするように制御される。一方、図４（ｂ）に示すように、現像装置の停止時Ｃでは、先ず、駆動モータ２２２のみの電源をオフし、その後、エアーポンプ２０７のみを所定時間だけ継続運転させ、この所定の継続運転時間が経過した時点Ｄでエアーポンプの電源をオフするように制御される。
【００３９】本実施例における現像装置の駆動モータ２２２及びエアーポンプ２０７の動作を上述のように制御することにより、以下のような効果がある。すなわち、この現像装置において、粉体ポンプユニット２００が作動している間は、図５（ａ）に示すように、現像剤が、エアーポンプ２０７から供給されるエアーと略均一に混合された混合気となって、供給管１１１の略全域に充満している。しかしながら、この状態で、現像装置全体を一度に停止、つまり、粉体ポンプユニット２００の駆動モータ２２２とエアーポンプ２０７とを同時に停止すると、図５（ｂ）から図５（ｃ）に示すように、供給管１１１内に充満していた混合気状態の現像剤から空気のみが現像手段１０の方に抜け、この混合気から現像剤のみが自重により下方に沈殿するために、この供給管１１１内での現像剤の嵩密度が増大する。
【００４０】従って、この図５（ｃ）に示すような状態にある現像装置を再運転すべく、その駆動モータ２２２を始動させた場合には、粉体ポンプユニット２００により供給管１１１に向けて送りこまれる現像剤の移送が、装置の停止時において供給管１１１内に沈殿された残存現像剤により堰き止められるため、この供給管１１１内で現像剤の詰まりが発生することがあり、その結果、粉体ポンプユニット２００の作動がロックしたり、焼付けを起こす（過度の温度上昇により、現像在中のトナーがローター２０１に固着し、この固着したトナーがステーター２０２を削ってしまう）ことがある。
【００４１】そこで、この現像装置の運転開始時においては、図４（ａ）に示したように、エアーポンプ２０７のみを先に作動させ、その一定時間後に駆動モータ２２２を作動させることにより、供給管１１１内への現像剤の移送に先立って、エアーポンプ２０７から供給されるエアーのみにより、上述の供給管１１１内の残存現像剤を現像手段１０内に排出させることができる。また、この現像装置の運転停止時においては、図４（ｂ）に示したように、駆動モータ２２２のみの作動を先に停止させ、その一定時間後にエアーポンプ２０７の作動を停止させることにより、供給管１１１内で現像剤の沈殿化が発生する前に、エアーポンプ２０７から供給されるエアーのみにより、上述の供給管１１１内の現像剤を現像手段１０内に事前に排出させて、この供給管１１１内をほぼ空にすることができる。
【００４２】従って、本実施例の現像装置によれば、上述したような供給管１１１内での残存現像剤による剤詰まりの発生を解消して、現像剤の移送をより確実なものとすることができる。」
　
３．対比・判断
　そこで、本願補正発明と刊行物１記載の発明とを対比する。
　
　なお、本願補正発明は「トナー貯留装置」に係る発明であるが、本願補正発明の解釈について、本件補正後の請求項５における「画像形成装置本体」「トナー貯留装置」についての記載や発明の詳細な説明の記載も勘案して、本願補正発明の「トナー貯留装置」は、「トナー貯留手段」「回収トナー収納手段」だけでなく「空気供給手段」「回収トナー捕集手段」を含む概念として理解し、本願補正発明に記載される他の構成である「回収トナー移送部材」「トナー供給部材」「回収トナー移送手段」は、「画像生成装置本体」に属するか、あるいは「画像形成装置本体」と「トナー貯留装置」の間に介在するか、のいずれかであり、「トナー貯留装置」とは別のものであるとして一応ここでは理解しておく。ただし、以下の対比、相違点の認定等においては、「トナー貯留装置」とは別のものである「回収トナー移送部材」「トナー供給部材」「回収トナー移送手段」についても言及する。
　
　刊行物１記載の発明の「潜像担持体に形成された静電潜像をトナー像として可視像化する現像装置を備えた画像形成装置」は、本願補正発明の「像担持体上に形成された静電潜像を現像手段のトナーで現像して可視像化する画像形成装置」に相当する。
　刊行物１記載の発明の「現像装置１３に供給される補給トナーを収容する第２トナー容器９０」「廃トナー回収容器９２」は、それぞれ、本願補正発明の「前記現像手段に供給されるトナーを貯留するトナー貯留手段」「画像形成時に残留して回収される回収トナーを収納する回収トナー収納容器」に相当する。
　刊行物１記載の発明の「トナー搬送導管５１と、その内部に全長に亘って設けられたコイル、スクリュー部材、オーガなどのトナー送り部材５２とから成るトナー搬送手段５０」と、本願補正発明のスクリューポンプとエアーポンプからなる「トナーを拡散させた状態で流動させる空気供給手段」とは、広い意味で「トナーを搬送するトナー搬送手段」の点で共通する。
　刊行物１記載の発明の「クリーニング装置２０」「廃トナー」は、それぞれ、本願補正発明の「クリーニング手段」「回収トナー」に相当する。
　刊行物１記載の発明の「可撓性の廃トナー導管９３」及び「例えば回転駆動されるコイルより成る廃トナー送り部材」からなるものは、概念的には、本願補正発明の「回収トナー移送部材」及び「前記画像形成装置の回収トナー移送手段」からなるものに相当する。
　また、刊行物１記載の発明の「補給トナーを収容して現像装置に搬送し、クリーニング装置で回収し搬送された廃トナーを収容する手段」は、実質的に、本願補正発明の「トナー貯留装置」に相当するということができる。
　
　そうすると、両者の一致点、相違点は、実質的に以下のとおりと認められる。
　
［一致点］
　「像担持体上に形成された静電潜像を現像手段のトナーで現像して可視像化する画像形成装置に用いるトナー貯留装置において、
　現像手段とは独立に別体で構成されており、現像手段に供給されるトナーを貯留するトナー貯留手段と、トナー貯留手段に連結されて、トナーを搬送するトナー搬送手段と、画像形成時に残留して回収される回収トナーを収納する回収トナー収納容器を有する回収トナー収納手段とを備え、
　現像手段に供給されるトナーは、トナー搬送手段によって、現像手段に移送され、
　回収トナーは、画像形成時に画像形成装置に備えられたクリーニング手段によって回収され、クリーニング手段によって回収されたトナーは回収トナー移送手段によって回収トナー移送部材を介して回収トナー収納手段に移送される、
　トナー貯留装置。」
　
［相違点１］
　トナーを搬送する手段に関して、
　本願補正発明では、
　トナーを拡散させた状態で流動させる空気供給手段を備え、
　現像手段に供給されるトナーは、空気供給手段によって、空気と混合気状態にされてトナー供給部材を介して現像手段に移送され、
　クリーニング手段によって回収されたトナーは画像形成装置の回収トナー移送手段によって空気との混合気状態にされて回収トナー移送部材を介して回収トナー収納手段に移送され、
　加えて、空気供給手段はスクリューポンプとエアーポンプからなり、スクリューポンプの作動を開始あるいは停止した場合、作動開始に先立ちエアーポンプを作動させ、また作動停止後、所定の時間エアーポンプの作動を継続させるものであるのに対し、
　刊行物１記載の発明では、
　トナー補給における搬送手段は、「トナー搬送導管５１と、その内部に全長に亘って設けられたコイル、スクリュー部材、オーガなどのトナー送り部材５２とから成るトナー搬送手段５０」であり、
　トナー回収における搬送手段は、「可撓性の廃トナー導管９３と、これに内設された、例えば回転駆動されるコイルより成る廃トナー送り部材」である点。
　
［相違点２］
　回収トナーの捕集に関して、
　本願補正発明では、
　回収トナー収納手段の回収トナー収納容器の上部には、回収トナー移送部材が接続する回収トナー捕集手段が取り付けられており、回収トナー捕集手段でトナーと空気を分離し、トナーを捕集する構成であるのに対し、
　刊行物１記載の発明では、そのような回収トナー捕集手段は明示されていない点。
　
　上記相違点について検討する。
　
　トナーを拡散させた状態で流動させる空気供給手段によって、トナーと空気の混合気状態でトナーを移送することは、周知の技術である。例えば、刊行物２，刊行物３、特開平７−２１９３２９号公報、特開平８−１２３１９８号公報、原審の拒絶査定で例示された特開昭５６−９７６６号公報（第１頁右下欄第１１〜１５行、第２頁右上欄第１６〜２０行）を参照。
　そして、本件補正で付加された「空気供給手段はスクリューポンプとエアーポンプからなり、スクリューポンプの作動を開始あるいは停止した場合、作動開始に先立ちエアーポンプを作動させ、また作動停止後、所定の時間エアーポンプの作動を継続させる」制御は、刊行物３（これは、本願と同じ出願人でかつ発明者も同じである出願の公開公報である。）に記載されており、公知の技術である。
　さらに、トナーと空気の混合気状態でトナーを移送する場合、必要な箇所で、トナーと空気を分離しトナーを捕集することは、周知の技術である。例えば、上記の特開平７−２１９３２９号公報（【００２７】）、上記の特開平８−１２３１９８号公報（【００１９】）、特開昭５８−１０２２７１号公報（第３図のフィルター１２ａ）、上記の特開昭５６−９７６６号公報（フィルタ６、フィルタ２５）、原審の拒絶査定で例示された特開昭５９−１５５８６４号公報（サイクロンフィルター集塵装置６）を参照。　
　そうすると、刊行物１記載の発明において、上記の周知及び公知の、トナーを搬送する手段とその制御、及びトナーと空気を分離しトナーを捕集する手段を採用して、相違点１，２に係る本願補正発明のごとくなすことは、当業者が容易に想到し得ることである。
　　
　そして、全体として、本願補正発明によってもたらされる効果も、刊行物１〜３に記載された事項及び周知技術から当業者であれば当然に予測することができる程度のものであって、格別のものとはいえない。
　
　したがって、本願補正発明は、刊行物１〜３記載の発明及び周知技術に基づいて当業者が容易に発明をすることができたものであるから、特許法第２９条第２項の規定により特許出願の際独立して特許を受けることができない。
　
４．むすび
　よって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
　
第３　本願発明について
１．本願の請求項１に係る発明
　平成１９年８月３日付けの手続補正は上記のとおり却下されたので、本願の請求項１〜７に係る発明は、平成１９年２月２６日付けの手続補正書により補正された特許請求の範囲の請求項１〜７に記載された事項により特定されるとおりのものと認められるところ、その請求項１に係る発明（以下、「本願発明１」という。）は、次のとおりである。
　
　「【請求項１】像担持体上に形成された静電潜像を現像手段のトナーで現像して可視像化する画像形成装置に用いるトナー貯留装置において、
　前記現像手段とは独立に別体で構成されており、前記現像手段に供給されるトナーを貯留するトナー貯留手段と、該トナー貯留手段に連結され、トナーを拡散させた状態で流動させる空気供給手段と、画像形成時に残留して回収される回収トナーを収納する回収トナー収納容器を有する回収トナー収納手段とを備え、
　前記現像手段に供給されるトナーは、前記空気供給手段によって、空気と混合気状態にされてトナー供給部材を介して前記現像手段に移送され、
　前記回収トナーは、画像形成時に前記画像形成装置に備えられたクリーニング手段によって回収され、該クリーニング手段によって回収されたトナーは前記画像形成装置の回収トナー移送手段によって空気との混合気状態にされて回収トナー移送部材を介して前記回収トナー収納手段に移送され、
　前記回収トナー収納手段の前記回収トナー収納容器の上部には、前記回収トナー移送部材が接続する回収トナー捕集手段が取り付けられており、該回収トナー捕集手段でトナーと空気を分離し、トナーを捕集することを特徴とするトナー貯留装置。」
　
２．引用例の記載事項
　原査定の拒絶の理由に引用された、特開平５−２０４２４４号公報（上記「刊行物１」）、特開平８−２１１７１４号公報（上記「刊行物２」）の記載事項は、上記「第２　２．」に記載したとおりである。
　
３．対比・判断
　本願発明１は、本願補正発明から「前記空気供給手段はスクリューポンプとエアーポンプからなり、前記スクリューポンプの作動を開始あるいは停止した場合、作動開始に先立ち前記エアーポンプを作動させ、また作動停止後、所定の時間前記エアーポンプの作動を継続させる」との限定事項を省いたものに実質的に相当する。
　そうすると、本願発明１の構成要件を全て含み、更に他の要件を付加したものに相当する本願補正発明が、上記「第２　３．」に記載したとおり、刊行物１〜３記載の発明及び周知技術に基づいて当業者が容易に発明をすることができたものであり、そして、刊行物３は、本願補正発明の上記限定事項に対応する引用例であり、上記限定事項がない本願発明１においては、刊行物３を用いる必要がないから、
　本願発明１は、刊行物１，２記載の発明及び周知技術に基づいて当業者が容易に発明をすることができたものということになる。
　
４．むすび
　以上のとおりであるから、本願の請求項１に係る発明は、特許法第２９条第２項の規定により特許を受けることができないので、他の請求項について検討するまでもなく、本願は拒絶すべきものである。
　よって、結論のとおり審決する。